(57)【要約】【課題】通信装置の有する一方の無線通信方式による通信中において、一方の無線通信方式による通信可能時間と他の無線通信方式による通信可能時間とをユーザが容易に認識することができる通信装置を提供する。【解決手段】通信装置１００は、電池部１０３と、電池部から電力の供給を受け、第１の無線通信方式による通信を行なう第１の無線通信部１０１と、第１の無線通信方式とは種別の異なる第２の無線通信方式による通信を行なう第２の無線通信部１０２と、電池部の電池残量を測定する測定手段１０４と、電池残量に基づいて、第１の無線通信部による通信が可能な残り時間と第２の無線通信部による通信が可能な残り時間とを算出する通信時間算出手段１０７と、一方の無線通信部による通信が可能な残り時間と他方の無線通信部による通信が可能な残り時間とを異なる表示態様で表示する表示手段１１０とを備える。【選択図】図１５
2009206952.tif 000002
【特許請求の範囲】
【請求項１】
電池部と、
前記電池部から電力の供給を受け、第１の無線通信方式による通信を行なう第１の無線通信部と、
前記電池部から電力の供給を受け、前記第１の無線通信方式とは種別の異なる第２の無線通信方式による通信を行なう第２の無線通信部と、
前記電池部の電池残量を測定する測定手段と、
前記電池残量に基づいて、前記第１の無線通信部による通信が可能な残り時間と前記第２の無線通信部による通信が可能な残り時間とを算出する通信時間算出手段と、
一方の無線通信部による通信が可能な残り時間と他方の無線通信部による通信が可能な残り時間とを異なる表示態様で表示する表示手段とを備える、通信装置。
【請求項２】
前記表示手段は、通信中である前記一方の無線通信部による通信が可能な残り時間を第１の表示態様にて表示し、通信していない前記他方の無線通信部による通信が可能な残り時間を第２の表示態様にて表示する、請求項１に記載の通信装置。
【請求項３】
前記表示手段は、前記一方の無線通信部による通信が可能な残り時間を第１のマークとともに表示し、前記他方の無線通信部による通信が可能な残り時間を第２のマークとともに表示する、請求項１または２に記載の通信装置。
【請求項４】
前記一方の無線通信部によるデータの送受信中に、前記他方の無線通信部による通信が可能な残り時間が所定時間未満であるか否かの判定を行なう判定手段をさらに備え、
前記表示手段は、前記判定手段によって前記残り時間が所定時間未満であると判定された場合に警告を表示する、請求項１から３のいずれか１項に記載の通信装置。
【請求項５】
前記一方の無線通信部によるデータの送受信中に、前記他方の無線通信部による通信が可能な残り時間が所定時間未満であるか否かの判定を行なう判定手段と、
前記判定手段によって前記残り時間が所定時間未満であると判定された場合に警告を音声によって出力する音声出力手段とをさらに備える、請求項１から３のいずれか１項に記載の通信装置。
【請求項６】
前記第１および前記第２の無線通信方式のうちの一方の優先度が他方の優先度よりも高く設定されており、
前記優先度がより低い無線通信方式によるデータの送受信中に、前記優先度がより高い無線通信方式による通信が可能な残り時間が所定時間未満であるか否かの判定を行なう判定手段と、
前記判定手段によって前記残り時間が所定時間未満であると判定された場合に、前記優先度がより低い無線通信方式による通信を切断する切断手段とをさらに備える、請求項１から３のいずれか１項に記載の通信装置。
【請求項７】
外部からの第１の設定命令を受け付けて、前記第１および前記第２の無線通信方式のうちの一方の優先度を他方の優先度よりも高く設定する第１の設定手段をさらに備える、請求項６に記載の通信装置。
【請求項８】
外部からの第２の設定命令を受け付けて、前記所定時間を設定する第２の設定手段をさらに備える、請求項４から請求項７のいずれか１項に記載の通信装置。
【発明の詳細な説明】
【技術分野】
【０００１】
本発明は、複数の無線通信方式による通信が可能な通信装置に関する。
【背景技術】
【０００２】
従来から、様々な無線通信方式が提案されており、たとえば、無線ＬＡＮ(Local Area Network)によるホットスポットなどのアクセスポイントを用いた公衆無線ＬＡＮサービスなどが行われるようになっている。
【０００３】
このような公衆無線ＬＡＮサービスの普及に伴い、通常のＷ−ＣＤＭＡ（Wideband - Code Division Multiple Access）やＰＨＳ（Personal Handy - phone System）などの広範囲な通信範囲をサポートする無線通信方式に加え、近距離しかサポートしないが、通信速度の速い無線ＬＡＮでの通信も可能な通信装置が実用化されている。
【０００４】
特開２００１-８６５５６号公報（特許文献１）には、ＰＤＣプロトコル制御手段と、ＰＨＳプロトコル制御手段と、それぞれの無線通信方式に対する電池残量検出手段と、複合携帯電話機全体の制御手段と、複数の各無線通信方式において電池残量を算出する電池残量算出手段と、算出した電池残量を表示する表示手段とを備え、複数の各無線通信方式において電池残量を表示する複合携帯電話機が開示されている。
【０００５】
特開平１１−２５２００６号公報（特許文献２）には、所定時間毎に電池電圧が検出され、検出された電池電圧が第１の所定値以下に低下すると、ＰＤＣからＰＨＳに自動的に切り替えられて、ＰＨＳで待ち受けが行われる携帯電話機が開示されている。当該通信装置は、使用者がＰＤＣで発呼操作を行った際、検出された電池電圧が、ＰＤＣで接続するのに必要な電圧値に満たない場合には、自動的にＰＨＳで接続されて発呼が行われる。そして、当該携帯電話機は、電池電圧が第２の所定値に達すると、警報が出力され、所定時間経過後、通話が切断される。
【０００６】
特開２００６-１８０１７４号公報（特許文献３）には、無線ＬＡＮの通話圏内に入ると、無線ＬＡＮ通話圏判定手段により、無線ＬＡＮ経由通話手段から無線ＬＡＮ電波強度情報が取得され、無線ＬＡＮ電波強度情報が所定値以上となることで無線ＬＡＮの通話圏内に入ったことが判定されると、通信回線選択手段により電池を管理する電池管理回路から電池残量を示す電池残量情報が取得され、当該電池残量情報に基づいて、着信時の通信回線が選択される移動体端末装置が開示されている。そして、移動体端末装置は、通信回線選択手段において無線ＬＡＮ経由の通信回線が選択された場合、転送設定要求手段により無線電話網経由の通信用の電話番号に対する着信を無線ＬＡＮ経由の通信回線に転送させるための転送設定要求を、回線転送設定を管理する装置に対して出力する。
【０００７】
特開２０００-２３２６８３号公報（特許文献４）には、ＰＤＣ無線通信部およびＰＨＳ無線通信部を備えている携帯電話装置であって、ＰＤＣ通信網に接続して例えば家庭用電話装置との間で通信を実行しているときに、電池の残存容量が低下して所定レベル未満になると、通信を実行するにあたって無線通信部をＰＤＣ無線通信部から当該ＰＤＣ無線通信部よりも消費電力が小さいＰＨＳ無線通信部に切替え、ＰＨＳ無線通信部により家庭用電話装置との間で通信を実行する携帯電話装置が開示されている。
【０００８】
特開２００５-３０３４６５号公報（特許文献５）には、電池駆動の通信端末として、データの送受信を行う複数の無線通信部を備えた構成とし、該複数の無線通信部のうちの第１の無線通信部で所定の通信プロトコルによる通信を行っているとき、電波状態が基準レベル以下に劣化したと判別される場合、電池残量を含む情報に基づき複数の通信プロトコルから新たに通信プロトコルを選択するとともに、無線通信部を第１の無線通信部から第２の無線通信部に切替える通信端末が開示されている。
【特許文献１】特開２００１−８６５５６号公報
【特許文献２】特開平１１−２５２００６号公報
【特許文献３】特開２００６−１８０１７４号公報
【特許文献４】特開２０００−２３２６８３号公報
【特許文献５】特開２００５−３０３４６５号公報
【発明の開示】
【発明が解決しようとする課題】
【０００９】
しかしながら、上記のような複数の無線通信方式による通信が可能な通信装置においては、ユーザが一方の無線通信方式による通信を行っている間に、当該通信装置の電池残量が、通信を行っていない他方の無線通信方式による通信に必要な所定値よりも少なくなっても、ユーザがそのことに気がつきにくい。複数の無線通信方式に対する電池残量が表示されたとしても、その電池残量表示がどれも同じ表示の場合、ユーザが現在どの無線通信方式で通信を行っているのかを認識し難い。そして、ユーザは、現在通信中の無線通信方式に対する電池残量（通信可能時間）と、現在通信を行っていない無線通信方式に対する電池残量とを認識し難い。
【００１０】
例えば、一方の無線通信方式がＷ-ＣＤＭＡ方式によるものであって、他方の無線通信方式が無線ＬＡＮ方式によるものだった場合、無線ＬＡＮによる通信中であってユーザが気が付かない状態にてＷ−ＣＤＭＡ方式による通信ができなくなってしまうことがある。この場合は、無線ＬＡＮ方式は広範囲の通信エリアをサポートしていないため、結果的にほとんどのエリアでの通信ができなくなってしまう。
【００１１】
逆に、一方の無線通信方式が無線ＬＡＮ方式によるものであって、他の無線通信方式がＷ−ＣＤＭＡ方式によるものだった場合、Ｗ−ＣＤＭＡ方式による通信中であってユーザが気が付かない状態にて無線ＬＡＮ方式による通信が再開できなくなってしまうことがある。この場合は、Ｗ−ＣＤＭＡ方式は高速のデータ通信をサポートしていないため、大容量のデータ通信はできなくなってしまう。
【００１２】
本発明は前記課題を解決するためになされたものであって、本発明の主たる目的は、通信装置の有する一方の無線通信方式による通信中において、一方の無線通信方式による通信可能時間と他の無線通信方式による通信可能時間とをユーザが容易に認識することができる通信装置を提供することである。
【課題を解決するための手段】
【００１３】
本発明の１つの局面に従うと、通信装置は、電池部と、電池部から電力の供給を受け、第１の無線通信方式による通信を行う第１の無線通信部と、電池部から電力の供給を受け、第１の無線通信方式とは種別の異なる第２の無線通信方式による通信を行う第２の無線通信部と、電池部の電池残量を測定する測定手段と、電池残量に基づいて、第１の無線通信部による通信が可能な残り時間と第２の無線通信部による通信が可能な残り時間とを算出する通信時間算出手段と、一方の無線通信部による通信が可能な残り時間と他方の無線通信部による通信が可能な残り時間とを異なる表示態様で表示する表示手段とを備える。
【００１４】
好ましくは、表示手段は、通信中である一方の無線通信部による通信が可能な残り時間を第１の表示態様にて表示し、通信していない他方の無線通信部による通信が可能な残り時間を第２の表示態様にて表示する。
【００１５】
好ましくは、表示手段は、一方の無線通信部による通信が可能な残り時間を第１のマークとともに表示し、他方の無線通信部による通信が可能な残り時間を第２のマークとともに表示する。
【００１６】
好ましくは、通信装置は、一方の無線通信部によるデータの送受信中に、他方の無線通信部による通信が可能な残り時間が所定時間未満であるか否かの判定を行う判定手段をさらに備える。表示手段は、判定手段によって残り時間が所定時間未満であると判定された場合に警告を表示する。
【００１７】
好ましくは、通信装置は、一方の無線通信部によるデータの送受信中に、他方の無線通信部による通信が可能な残り時間が所定時間未満であるか否かの判定を行う判定手段と、判定手段によって残り時間が所定時間未満であると判定された場合に警告を音声によって出力する音声出力手段とをさらに備える。
【００１８】
好ましくは、通信装置において、第１および第２の無線通信方式のうちの一方の優先度が他方の優先度よりも高く設定されている。通信装置は、優先度がより低い無線通信方式によるデータの送受信中に、優先度がより高い無線通信方式による通信が可能な残り時間が所定時間未満であるか否かの判定を行う判定手段と、判定手段によって残り時間が所定時間未満であると判定された場合に、優先度がより低い無線通信方式による通信を切断する切断手段とをさらに備える。
【００１９】
好ましくは、通信装置は、外部からの第１の設定命令を受け付けて、第１および第２の無線通信方式のうちの一方の優先度を他方の優先度よりも高く設定する第１の設定手段をさらに備える。
【００２０】
好ましくは、通信装置は、外部からの第２の設定命令を受け付けて、所定時間を設定する第２の設定手段をさらに備える。
【発明の効果】
【００２１】
以上のように、本発明に係る通信装置によって、通信装置の有する一方の無線通信方式による通信中において、一方の無線通信方式による通信可能時間と他の無線通信方式による通信可能時間とをユーザが容易に認識することができる。
【発明を実施するための最良の形態】
【００２２】
以下、図面に基づいて本発明の実施の形態について説明する。なお以下の説明では、同一の部品については同一の符号を付すものとし、当該部品の名称や機能が同一である場合には、当該部品についての詳細な説明は繰り返さない。
【００２３】
また、以下では、携帯電話１００を、本発明の「通信装置」の一例として説明を行うこととする。ただし、本発明は、ＰＤＡなどの他の携帯情報機器やその他の携帯型通信端末装置にも適用可能なものである。
【００２４】
［実施の形態１］
まず、通信装置の第１の実施の形態としての携帯電話１００について説明する。図１は、本実施の形態に係る通信装置の一例としての携帯電話１００を示す外観斜視図である。図１には、通信装置として、代表的に折畳式の携帯電話１００を示すが、このような形式に限定されるものではない。そして、図１は、携帯電話１００の筐体１１４，１１６を開いた状態における正面側の斜視図である。
【００２５】
図１に示すように、携帯電話１００は、第１の筐体１１４と、第２の筐体１１６と、第１のスピーカ１７３と、第２のスピーカ１７４と、モニタ１５０と、カメラ１４２と、操作部１２０と、マイク１７２とを含む。第１の筐体１１４と第２の筐体１１６とは、接続部１１５にて折畳み可能に接続されている。
【００２６】
操作部１２０は、機能キー１２２Ａなどの複数のキーを含む機能キー群１２２と、数字等の入力のためのテンキーを含むテンキー群１２４とを備える。機能キー群１２２は、モニタ１５０上の表示の少なくとも一部（表示全体、または、モニタ１５０上に表示されたカーソル等）を上下左右それぞれに所定の距離だけ移動させるための上キー１２１Ａ，下キー１２１Ｂ，左キー１２１Ｃ，右キー１２１Ｄと、移動したカーソル等に対応する処理に決定したことを入力するための決定キー１２２Ａと、を含む。なお、以下では、操作部１２０を「操作部」と呼び、操作部１２０の操作キーを総称して「入力キー」と呼ぶ。
【００２７】
次に、本実施の形態に係る携帯電話１００のハードウェア構成について説明する。図２は、本実施の形態に係る携帯電話１００のハードウェア構成を示すブロック図である。図２に示すように、本実施の形態に係る携帯電話１００は、第１のアンテナ１と、第１のアンテナ１により受信された第１の無線通信方式の信号の入力を受ける第１の無線通信部１０１と、第２のアンテナ２と、第２のアンテナ２により受信された第２の無線通信方式の信号の入力を受ける第２の無線通信部１０２と、ワークＲＡＭ(Random Access Memory)として使用される第１のメモリ３（一般的に揮発性のメモリが使用されるが、書き込み可能な不揮発性のメモリであってもよい。）と、制御プログラムなどのデータを格納する第２のメモリ４（一般的に不揮発性のメモリが使用される。）と、携帯電話１００の各部に電力を供給する電池部１０３と、電池部１０３の電圧を測定する電圧測定部１０４と、外部から各種の指示の入力を受け付ける操作部１２０と、携帯電話１００の各動作を制御するための制御装置１０５と、画像を表示するためのモニタ１５０と、外部からの音声を入力するマイク１７２と、電気信号に基づいて音声を出力するスピーカ１７３，１７４と、を備える。
【００２８】
より詳細には、本実施の形態に係る第１のメモリ３は、代表的に、ＤＲＡＭ(Dynamic Random Access Memory)、ＳＲＡＭ(Static Random Access Memory)、ＰＳＲＡＭ(Pseudo-SRAM、擬似ＳＲＡＭ)、ＳＤＲＡＭ(Synchronous DRAM)などによって実現される。また、第２のメモリ４は、代表的に、ＥＥＰＲＯＭ（Electrically EPROM）、ＮＡＮＤ型フラッシュメモリ、ＮＯＲ型フラッシュメモリ、ハードディスクなどによって実現される。なお、制御プログラム以外のデータ（フォントデータ、調整データ、ユーザ設定等）は、主に第２のメモリ４に格納されるが、一時的に第１のメモリ３に格納される構成であってもよい。
【００２９】
第１および第２の無線通信部１０１および１０２は、制御装置１０５による制御に応じて、それぞれアンテナ１および２を介して無線信号を発信し、外部からの無線信号を受信する。そして、第１の無線通信部１０１と第２の無線通信部１０２とは、異なる通信方式による通信を行うためのインターフェースである。
【００３０】
前述したように、本実施の形態においては、第１の無線通信部１０１は、第２の無線通信方式と比較して、通信範囲は広くないが、通信速度の速い第１の無線通信方式（たとえば無線ＬＡＮ方式など）による通信を行うための機能を有するものとしている。そして、第２の無線通信部１０２は、第１の無線通信方式とは異なる通信プロトコルを利用するものであって、第１の無線通信方式と比較して、広範囲な通信範囲をサポートする第２の無線通信方式（たとえば、Ｗ−ＣＤＭＡ方式など）による通信を行うための機能を有している。その結果、第１および第２の無線通信部１０１および１０２における消費電力や、駆動電圧の最低値が異なる。
【００３１】
そして、本実施の形態においては、第１の無線通信部１０１は無線ＬＡＮ方式による通信を行うものとし、第２の無線通信部１０２はＷ−ＣＤＭＡ方式による通信を行うものとしている。
【００３２】
制御装置１０５は、たとえばＣＰＵ（Central Processing Unit）やその他の演算処理装置と、後述する各機能を実現するためのプログラムとによって実現されるものであって、制御装置１０５と他の構成要素とは信号線を介して接続されている。より詳細には、上記の各種処理は、たとえば、第２のメモリ４に格納された各種の処理手順に関するプログラムが一旦第１のメモリ３へと読み出され、読み出されたプログラムがＣＰＵ上で実行されることによって、実現されるものである。ただし、制御装置１０５の全部または一部が、各機能を実現する専用の各種回路などによって実現されてもよい。
【００３３】
そして、制御装置１０５は、第１および第２の無線通信部１０１，１０２などの他の構成要素と連係しながら、携帯電話１００が有する通話機能を実現する。また、制御装置１０５は、携帯電話１００の各要素を制御するものであって、各種の演算を実施する装置である。また、制御装置１０５は、後述するように電池残量表示処理や、無線通信警告処理を行うものであって、当該処理結果を信号線を介してモニタ１５０に出力する。
【００３４】
操作部１２０は、キー入力などによってユーザから情報を受け付ける。モニタ１５０は、液晶パネルやＣＲＴから構成されるものであって、制御装置１０５が出力した情報を表示する。
【００３５】
＜機能構成＞
図３は、実施の形態１に係る通信装置の機能構成を示すブロック図である。図３に示すように、本実施の形態に係る携帯電話１００は、無線ＬＡＮ方式（第１の無線通信方式）による通信を行う第１の無線通信部１０１と、第１の無線通信方式とは種別の異なるＷ−ＣＤＭＡ方式（第２の無線通信方式）による通信を行う第２の無線通信部１０２と、携帯電話１００の各部に電力を供給する電池部１０３と、電池残量を測定する測定部１０４−１と、制御装置１０５と、情報を表示するモニタ１５０とを有する通信装置である。制御装置１０５は、測定部１０４−１にて検出した電池残量に基づいて第１の無線通信部１０１による通信が可能な残り時間と第２の無線通信部１０２による通信が可能な残り時間とを算出する通信時間算出部１０７と、モニタ１５０を制御する表示制御部１１１とを含む。
【００３６】
本実施の形態に係る携帯電話１００は、通信時間算出部１０７によって、通信を行っている一方の無線通信部（たとえば、第１の無線通信部１０１）による通信が可能な残り時間と他方の無線通信部（たとえば、第２の無線通信部１０２）による通信が可能な残り時間とを算出する。
【００３７】
そして、表示制御部１１１が、一方の無線通信部（たとえば、第１の無線通信部１０１）による通信が可能な残り時間と他方の無線通信部（たとえば、第２の無線通信部１０２）による通信が可能な残り時間とをモニタ１５０を介して異なる表示態様で表示する。
【００３８】
電池部１０３は、たとえば充電式の電池であって、携帯電話１００を構成する各部へ電力を供給する。
【００３９】
測定部１０４−１は、たとえば、電池部１０３の電圧を測定する電圧測定部１０４によって実現される。測定部１０４−１は、携帯電話１００の電池部１０３の電池残量を測定する機能を有する。また、測定部１０４−１は、電流ゲージＩＣ（Integrated Circuit）によって実現されてもよい。そして、電池部１０３からの放電電流に基づき、放電電流を積算することによって電池残量を測定してもよい。
【００４０】
制御装置１０５は、携帯電話１００が有する各機能の制御を行う。そして、制御装置１０５が有する機能である無線制御部１０６は、第１の無線通信部１０１や第２の無線通信部１０２の無線通信プロトコルの制御を行う。
【００４１】
通信時間算出部１０７は、測定部１０４−１で測定した電池残量に基づいて、他方の無線通信部１０２による通信が可能な残り時間を算出する機能を有する。図４は、Ｗ−ＣＤＭＡおよび無線ＬＡＮによる累積通信時間と電池電圧との相関を示すイメージ図である。図５は、Ｗ−ＣＤＭＡおよび無線ＬＡＮによる累積通信時間と電池電圧との相関を示す表である。図中では、無線ＬＡＮをＷＬＡＮと表示する。
【００４２】
携帯電話１００の第１のメモリ３もしくは第２のメモリ４には、図４または図５に示すような、累積通信時間と電池電圧とが対応付けられたデータベースが格納されており、通信時間算出部１０７はデータベースに基づいて、第１の無線通信部１０１による通信が可能な残り時間と、第２の無線通信部１０２による通信が可能な残り時間とを算出する。
【００４３】
電池電圧（測定電圧）Ｖ１ａはＷ−ＣＤＭＡによる通信ができなくなる最初の電池電圧である。電池電圧Ｖ２ａはＷ−ＣＤＭＡの電池残量が少ないことを警告通知するために設定された電池電圧である。電池電圧Ｖ３ａは現在測定部１０４−１によってモニタされている電池電圧である。そして、Ｗ−ＣＤＭＡによる通信を行う場合は、電池電圧Ｖ１ａ，Ｖ２ａ，Ｖ３ａに相当する累積通信時間が、それぞれＴ１ａ，Ｔ２ａ，Ｔ３ａとなる。
【００４４】
一方、電池電圧（測定電圧）Ｖ１ｂは無線ＬＡＮによる通信ができなくなる電池電圧である。上記のように、電池電圧Ｖ３ａは現在測定部１０４−１によってモニタされている電池電圧である。そして、無線ＬＡＮによる通信を行う場合は、電池電圧Ｖ１ｂ，Ｖ３ａに相当する累積通信時間が、それぞれＴ１ｂ，Ｔ３ｂとなる。
【００４５】
通信時間算出部１０７は、以下のようにして、Ｗ−ＣＤＭＡ方式（第２の無線通信方式）による残り通信時間の算出する。すなわち、通信時間算出部１０７は、測定部１０４−１によって現在測定されている電池電圧Ｖ３ａから累積通信時間Ｔ３ａを算出し、Ｗ−ＣＤＭＡによる通信ができなくなる累積通信時間Ｔ１ａから累積通信時間Ｔ３ａを減じることによって残り通信時間を算出する。すなわち、Ｗ−ＣＤＭＡ方式（第２の無線通信方式）による通信可能な残り時間Ｔｂは、以下の式から算出される。
【００４６】
Ｔｂ＝Ｔ１ａ−Ｔ３ａ・・・（式１）
通信時間算出部１０７は、以下のようにして、無線ＬＡＮ方式（第１の無線通信方式）による残り通信時間の算出する。すなわち、通信時間算出部１０７は、測定部１０４−１によって現在測定されている電池電圧Ｖ３ｂから累積通信時間Ｔ３ｂを算出し、無線ＬＡＮによる通信ができなくなる累積通信時間Ｔ１ｂから累積通信時間Ｔ３ｂを減じることによって残り通信時間を算出する。すなわち、無線ＬＡＮ方式（第１の無線通信方式）による通信可能な残り時間Ｔｃは、以下の式から算出される。
【００４７】
Ｔｃ＝Ｔ１ｂ−Ｔ３ｂ・・・（式２）
表示制御部１１１は、各種の情報を、モニタ１５０や図示しないライトなどを介して、ユーザに対して出力するためのものである。表示制御部１１１は、制御装置１０５にて演算された演算結果や各種情報を、液晶などの表示画面（モニタ１５０）に表示する機能を有する。
【００４８】
表示制御部１１１およびモニタ１５０によって実現される表示部１１０は、電源がＯＮされている間、あるいは第１の無線通部１０１および第２の無線通信部１０２のうちの一方の無線通信部によるデータの送受信中に、一方の無線通信部による通信が可能な残り時間と他方の無線通信部による通信が可能な残り時間とを異なる表示態様で表示する。すなわち、第１の無線通信部１０１と第２の無線通信部１０２のいずれか一方（たとえば、第１の無線通信部１０１）を使用して通信を行っている間に、表示制御部１１１が、通信を行っている一方の無線通信部（たとえば、第１の無線通信部１０１）と他方の無線通信部（たとえば、第２の無線通信部１０２）による通信が可能な残り時間をモニタ１５０を介して異なる表示態様で表示する構成であってもよい。
【００４９】
より詳細には、「通信をおこなっている」とは「データの送受信中である」ことを意味し、たとえば、音声データの送受信中（通話中）、メールを含むユーザデータの送受信中、インターネット上のＷｅｂサイトから各種コンテンツのダウンロード中、通信事業者のポータルに登録されているＷｅｂサイトから各種コンテンツのダウンロード中などを意味する概念である。ここで、コンテンツとは、静止画像、動画像、プログラム等を含む概念である。
【００５０】
換言すれば、「通信をおこなっている」（データの送受信中である）状態とは、無線通信部１０１，１０２によって携帯電話１００が通信回線と接続されている状態、すなわち通信回線との接続を確立した状態を意味するものであって、基地局の選択、受信の待ち受けなどのように、各通信システムを設立、維持するために必要となる通信を行っている状態は含まれないものとする。
【００５１】
そして、携帯電話１００は、同時に一方の無線通信部１０１，１０２による送受信しか行えないものとしてもよい。たとえば、携帯電話１００は、一方の無線通信部１０１，１０２を利用して通話（データの送受信）を行っている場合には、他方の無線通信部１０１，１０２では待ち受け（受信）のみが行われる。
【００５２】
たとえば、表示部１１０は、第１の無線通信部１０１による通信が可能な時間を第１の表示態様にて表示し、第２の無線通信部１０２による通信が可能な時間を第２の表示態様にて表示する。
【００５３】
あるいは、以下に詳述するように、表示部１１０は、通信を行っている無線通信部（たとえば、無線ＬＡＮによる通信を行う第１の無線通信部１０１）による通信が可能な残り時間を第１の表示態様にて表示し、通信を行っていない無線通信部（たとえば、Ｗ−ＣＤＭＡによる通信を行う第２の無線通信部１０２）による通信が可能な残り時間を第２の表示態様にて表示する。
【００５４】
図６は、異なる複数のインジケータが表示されたモニタ１５０を示す第１のイメージ図である。図６に示すように、表示部１１０は、通信を行っている無線通信部（たとえば、無線ＬＡＮによる通信を行う第１の無線通信部１０１）による通信が可能な残り時間を第１のカラーで表示されるインジケータによって表示し、通信を行っていない無線通信部（たとえば、Ｗ−ＣＤＭＡによる通信を行う第２の無線通信部１０２）による通信が可能な残り時間を第２のカラーで表示されるインジケータによって表示する。
【００５５】
図３から図６に示すように、表示部１１０は、一方の無線通信部による通信が可能な残り時間と他方の無線通信部による通信が可能な残り時間とを、モニタ１５０に表示されるインジケータなどを介して異なる表示態様で表示する。表示部１１０は、通信時間算出部１０７が算出した第１の無線通信部１０１による通信が可能な残り時間と第２の無線通信部１０２による通信が可能な残り時間とに基づいて、それぞれの通信が可能な残り時間の多寡を表示する。
【００５６】
たとえば、電池残量を５つのバーの点灯／消灯で表す場合について説明する。この場合は、表示部１１０は、通信時間算出部１０７が算出したＷ−ＣＤＭＡ方式による通信が可能な残り時間と無線ＬＡＮ方式による通信が可能な残り時間とを５段階で表示する。図５に示すように、Ｗ−ＣＤＭＡ方式については、満充電状態から１８０分の通信が可能であるため、３６分おきに左側のバーから順に消灯する。無線ＬＡＮ方式については、満充電状態から２２０分の通信が可能であるため、４４分おきに左側のバーから順に消灯する。
【００５７】
図６に戻って、以上をまとめると、モニタ１５０には、Ｗ−ＣＤＭＡ方式の電池残量を示す第１の領域１５０Ａと、無線ＬＡＮ方式の電池残量を示す第２の領域１５０Ｂとが形成される。第１の領域１５０Ａには、５つのセグメント（バー表示）が点灯／消灯可能となっており、その点灯／消灯によって電池残量を示す。なお、各セグメントは、満充電時の通信可能な残り時間（設計値）に対する各時点の通信可能な残り時間に応じて点灯する。同様に、第２の領域１５０Ｂにも、５つのセグメント（バー表示）が点灯／消灯可能となっており、その点灯／消灯によって電池残量を示す。そして、各セグメントは、満充電時の通信可能な残り時間（設計値）に対する各時点の通信可能な残り時間に応じて点灯する。
【００５８】
図７は、異なる複数のインジケータが表示されたモニタ１５０を示す第２のイメージ図である。図７に示すように、表示部１１０は、通信を行っている無線通信部（たとえば、無線ＬＡＮによる通信を行う第１の無線通信部１０１）による通信が可能な残り時間をより鮮明に（輝度の変化量を大きく）表示するインジケータによって表示し、通信を行っていない無線通信部（たとえば、Ｗ−ＣＤＭＡによる通信を行う第２の無線通信部１０２）による通信が可能な残り時間をより不鮮明に（輝度の変化量を大きく）表示するインジケータによって表示する。
【００５９】
逆に、表示部１１０は、通信を行っている無線通信部（たとえば、無線ＬＡＮによる通信を行う第１の無線通信部１０１）による通信が可能な残り時間をより不鮮明に（輝度の変化量を大きく）表示するインジケータによって表示し、通信を行っていない無線通信部（たとえば、Ｗ−ＣＤＭＡによる通信を行う第２の無線通信部１０２）による通信が可能な残り時間をより鮮明に（輝度の変化量を大きく）表示するインジケータによって表示してもよい。
【００６０】
また、表示部１１０は、通信を行っている無線通信部による通信が可能な残り時間を濃い色のインジケータによって表示し、通信を行っていない無線通信部（たとえば、Ｗ−ＣＤＭＡによる通信を行う第２の無線通信部１０２）による通信が可能な残り時間を薄い色のインジケータによって表示する。逆に、表示部１１０は、通信を行っている無線通信部による通信が可能な残り時間を薄い色のインジケータによって表示し、通信を行っていない無線通信部（たとえば、Ｗ−ＣＤＭＡによる通信を行う第２の無線通信部１０２）による通信が可能な残り時間を濃い色のインジケータによって表示してもよい。
【００６１】
また、たとえば、表示部１１０は、一方の無線通信部による通信が可能な残り時間を第１のマークとともに表示し、他方の無線通信部による通信が可能な残り時間を第２のマークとともに表示する。
【００６２】
図８は、１つのインジケータが表示されたモニタ１５０を示す第１のイメージ図である。図９は、１つのインジケータが表示されたモニタ１５０を示す第２のイメージ図である。図８および図９に示すように、表示部１１０は、通信を行っている無線通信部（たとえば、無線ＬＡＮによる通信を行う第１の無線通信部１０１）による通信が可能な残り時間と、通信を行っていない無線通信部（たとえば、Ｗ−ＣＤＭＡによる通信を行う第２の無線通信部１０２）による通信が可能な残り時間とを統合して、１つのインジケータによって表示する。具体的には、表示部１１０は、通信を行っている無線通信部による通信が可能な残り時間と、通信を行っていない無線通信部による通信が可能な残り時間とを重ねて１つのインジケータによって表示する。
【００６３】
図８および図９に示すように、表示部１１０は、通信を行っている無線通信部による通信が可能な残り時間を、通信が不可能になる第１のマークとともに表示し、通信を行っていない無線通信部による通信が可能な残り時間を、通信が不可能になる第２のマークとともに表示する。
【００６４】
たとえば、左側の４つのバーをＷ−ＣＤＭＡ方式と無線ＬＡＮ方式とのために共用して使用し、最も右側のバーのみをより通信可能時間が長い無線ＬＡＮ方式のために使用する。すなわち、左側の４つのバーをＷ−ＣＤＭＡ方式における１８０÷４＝４５分おき、無線ＬＡＮ方式における（２２０−５６）÷４＝４１分おきに消灯し、無線ＬＡＮ方式の通信が不可能になった際に最も右側のバーも消灯する。
【００６５】
図１０は、１つのインジケータが表示されたモニタ１５０を示す第３のイメージ図である。図１０に示すように、表示部１１０は、インジケータの上部に通信を行っている無線通信部による通信が可能な残り時間を表示し、インジケータの下部に通信を行っていない無線通信部による通信が可能な残り時間を表示する。上部側の表示方法および下部側の表示方法（バーの点灯・消灯方法）は、図６や図７のそれと同様であるので説明を繰り返さない。
【００６６】
上述したように、本実施の形態に係る表示部１１０は、通信を行っている無線通信部（たとえば、無線ＬＡＮによる通信を行う第１の無線通信部１０１）による通信が可能な残り時間と、通信を行っていない無線通信部（たとえば、Ｗ−ＣＤＭＡによる通信を行う第２の無線通信部１０２）による通信が可能な残り時間とを、ユーザが認識し易いように表示するものである。加えて、１つのインジケータにて、通信を行っている無線通信部による通信が可能な残り時間と、通信を行っていない無線通信部による通信が可能な残り時間とを表示する場合には、表示面積を削減することができる。
【００６７】
また、表示部１１０は、通信が開始されたり、通信方式が切り替えられた際に、通信を行っている無線通信部による通信が可能な残り時間をより明瞭に表示する。たとえば、表示部１１０は、通信を行っている無線通信部による通信が可能な残り時間をカラフルな色や濃い色によって表示する。この場合、表示部１１０は、通信が開始されたり、通信方式が切り替えられた際に、通信を行っていない無線通信部による通信が可能な残り時間を地味な色や薄い色によって表示する。
【００６８】
ただし、表示部１１０は、通信が開始されたり、通信方式が切り替えられたりした際に、通信を行っている無線通信部による通信が可能な残り時間を地味な色や薄い色によって表示してもよい。この場合、表示部１１０は、通信が開始されたり、通信方式が切り替えられたりした際に、通信を行っていない無線通信部による通信が可能な残り時間をより明瞭に表示する。たとえば、表示部１１０は、通信を行っていない無線通信部による通信が可能な残り時間をカラフルな色や濃い色によって表示する。
【００６９】
＜電池残量表示処理＞
次に、本実施の形態に係る電池残量表示処理について説明する。図１１は、実施の形態１に係る通信装置における電池残量表示処理の流れを示すフローチャートである。
【００７０】
図１１に示すように、ユーザが携帯電話１００の電源をＯＮすることにより（ステップ１０１、以下ステップをＳと略す。）、測定部１０４−１が電池残量（電池電圧）の測定を開始する（Ｓ１０２）。制御装置１０５によって実現される通信時間算出部１０７が、測定部１０４−１により検出された電池残量に基づいて、無線ＬＡＮ（第１の無線通信方式）およびＷ−ＣＤＭＡ（第２の無線通信方式）による通信が可能な残り時間の算出する（Ｓ１０３）。表示部１１０が、無線ＬＡＮ（第１の無線通信方式）による通信が可能な残り時間と、Ｗ−ＣＤＭＡ（第２の無線通信方式）による通信が可能な残り時間とを表示する（Ｓ１０４）。
【００７１】
［実施の形態２］
次に、通信装置の実施の形態２としての携帯電話１００について説明する。全体構成およびハードウェア構成については、図１および図２に示した実施の形態１に係る携帯電話１００と同様であるので、ここでは説明を繰り返さない。以下では、本実施の形態に係る携帯電話１００の機能構成について説明する。尚、本実施の形態に係る携帯電話１００においても、第１の無線通信方式を無線ＬＡＮ方式とし、第２の無線通信方式をＷ−ＣＤＭＡ方式とする。
【００７２】
本実施の形態に係る携帯電話１００は、通信を行っている一方の無線通信部による通信が可能な残り時間と他方の無線通信部による通信が可能な残り時間とをモニタ１５０を介して表示するとともに、他方の無線通信部による通信が可能な残り時間が所定時間以下になった場合に警告を表示する。
【００７３】
＜機能構成＞
図１２は、実施の形態２に係る通信装置の機能構成を示すブロック図である。図１２に示すように、本実施の形態に係る携帯電話１００は、第１の無線通信方式（たとえば、無線ＬＡＮ方式など）による通信を行う第１の無線通信部１０１と、第１の無線通信方式とは種別の異なる第２の無線通信方式（たとえば、Ｗ−ＣＤＭＡ方式）による通信を行う第２の無線通信部１０２と、携帯電話１００の各部に電力を供給する電池部１０３と、電池残量を測定する測定部１０４−１と、制御装置１０５と、情報を表示するモニタ１５０とを有する通信装置である。制御装置１０５は、測定部１０４−１にて検出した電池残量に基づいて第１の無線通信部１０１と第２の無線通信部１０２による通信が可能な残り時間を算出する通信時間算出部１０７と、無線制御部１０６と、判定部１０８と、第２の設定部１１７と、モニタ１５０を制御する表示制御部１１１とを含む。
【００７４】
以下では、携帯電話１００が有する各種機能について説明するが、前述したように以下の各ブロックの機能や各ステップの処理は、ＣＰＵ等によって実現される制御装置１０５上で実行されるソフトウェアによって実現される構成としてもよいし、ソフトウェアによって実現する代わりに各々を専用のハードウェア回路等によって実現してもよい。
【００７５】
電池部１０３と、測定部１０４−１と、無線制御部１０６と、通信時間算出部１０７とは、図３に示した実施の形態１に係る携帯電話１００のそれらと同様であるので、ここでは説明を繰り返さない。
【００７６】
判定部１０８は、一方の無線通信部によるデータの送受信中に、通信を行っていない無線通信方式による通信が可能な残り時間Ｔｂが予め設定された設定時間未満であるか否かの判定を行う。より詳細には、予め携帯電話１００の第１のメモリ３または第２のメモリ４には設定時間Ｔａが記憶されており、判定部１０８は、第１のメモリ３または第２のメモリ４から設定時間Ｔａを読み出して、通信時間算出部１０７によって算出された残り時間Ｔｂと設定時間の大小関係を判断するのである。ただし、第１のメモリ３または第２のメモリ４は、設定時間Ｔａに対応する設定電圧Ｖ２を記憶してもよい。
【００７７】
前述したように、「データの送受信中である」とは、たとえば、音声データの送受信中（通話中）、メールを含むユーザデータの送受信中、インターネット上のＷｅｂサイトから各種コンテンツのダウンロード中、通信事業者のポータルに登録されているＷｅｂサイトから各種コンテンツのダウンロード中などを意味する概念である。ここで、コンテンツとは、静止画像、動画像、プログラム等を含む概念である。
【００７８】
換言すれば、「通信をおこなっている」（データの送受信中である）状態とは、無線通信部１０１，１０２によって携帯電話１００が通信回線と接続されている状態、すなわち通信回線との接続を確立した状態を意味するものであって、基地局の選択、受信の待ち受けなどのように、各通信システムを設立、維持するために必要となる通信を行っている状態は含まれないものとする。
【００７９】
そして、携帯電話１００は、同時に一方の無線通信部１０１，１０２による送受信しか行えないものとしてもよい。たとえば、携帯電話１００は、一方の無線通信部１０１，１０２を利用して通話（データの送受信）を行っている場合には、他方の無線通信部１０１，１０２では待ち受け（受信）のみが行われる。
【００８０】
表示制御部１１１は、各種の情報を、モニタ１５０や図示しないライトなどを介して、ユーザに対して出力するためのものである。表示制御部１１１は、制御装置１０５にて演算された演算結果や各種情報を、液晶などの表示画面（モニタ１５０）に表示する機能を有する。
【００８１】
表示制御部１１１およびモニタ１５０によって実現される表示部１１０は、第１の無線通部１０１および第２の無線通信部１０２のうちの一方の無線通信部によるデータの送受信中に、一方の無線通信部による通信が可能な残り時間と他方の無線通信部による通信が可能な残り時間とを異なる表示態様で表示する。
【００８２】
そして、表示部１１０は、判定部１０８によって残り時間が予め設定された設定時間未満であるとの判定がされた場合に、残り時間が設定時間未満である旨の警告を出力する。たとえば、表示部１１０は、無線ＬＡＮ方式による通信中に、モニタ１５０によって「Ｗ−ＣＤＭＡによる通信可能時間はあと少しです。」という旨のメッセージを表示するものであってもよいし、携帯電話１００の側面等に設けられた図示しないライトを点灯もしくは点滅させるものでもよい。
【００８３】
表示部１１０は、他方の（現在通信を行っていない）無線通信方式による通信可能な残り時間が予めユーザによって設定された複数の（数種類の）設定時間より短くなったときに、一方の（現在通信を行っている）無線通信方式による通信可能な残り時間と共に出力する構成にすると好ましい。
【００８４】
たとえば、図４に示すように、電池電圧Ｖ２がＷ−ＣＤＭＡ方式の電池残量が少ないことを警告通知するために設定された電池電圧とし、電池電圧Ｖ２に相当するＷ−ＣＤＭＡ方式の累積通信時間をそれぞれＴ２ａとする。Ｗ−ＣＤＭＡ方式の電池残量が少ないことを警告通知するために設定された所定時間Ｔａは以下の式から算出される。
【００８５】
Ｔａ＝Ｔ１ａ−Ｔ２ａ・・・（式３）
同様にして、無線ＬＡＮ方式の電池残量が少ないことを警告通利するために設定された所定時間も算出することができる。
【００８６】
この場合において、ユーザが無線ＬＡＮによる通話を行っているときに、Ｗ−ＣＤＭＡによる通信可能な残り時間Ｔｂが設定時間Ｔａ未満となったときに、「Ｗ−ＣＤＭＡによる通信可能時間が残り１０分になりました。無線ＬＡＮによる通信可能時間は残り１５分です。」という表示を行う。そして、その後電池電圧がＶ２から更に低下すると、「Ｗ−ＣＤＭＡによる通信可能時間が残り５分になりました。無線ＬＡＮによる通信可能時間は残り７分です。」という表示を行うのである。
【００８７】
これによって携帯電話１００の有する一方の無線通信方式による通信中において、ユーザが通信していない他の無線通信方式による通信が不可能になってしまうことを防止することができる。特に、表示部１１０が、警告を表示する構成や、ライトを点灯もしくは点滅させる構成の場合は、携帯電話１００から音が鳴らないため、ユーザが携帯端末によってメールやインターネットを行っている場合に便利である。
【００８８】
第２の設定部１１７は、操作部１２０を介して外部からの第２の設定命令を受け付けて、予め設定されている設定時間を変更する。より詳細には、第２の設定部１１７は、外部からの変更命令を受け付けて、第１のメモリ３または第２のメモリ４に記憶された設定時間を更新するのである。
【００８９】
図１３は、表示部１１０における設定時間入力画面を示すイメージ図である。図１３に示すように、表示部１１０と操作部１２０とを介して、第２の設定部１１７は、第１の無線通信方式（第２の無線通信方式）による通信が可能な残り時間の設定命令（変更命令）を受け付ける。そして、設定命令（変更命令）を受け付けて、設定された残り時間Ｔａについての情報を第１のメモリ３または第２のメモリ４に記憶する。より詳細には、ユーザが電池電圧Ｖ２を入力することは困難であるため、ユーザが確保したい第１の無線通信方式（第２の無線通信方式）による通信ができなくなるまでの残り時間（設定時間）をユーザに入力させる。そして、ユーザが入力した数値を図４における設定時間Ｔａとして、たとえば、制御装置１０５が警告通知を行うべきＷ−ＣＤＭＡの電池電圧Ｖ２を算出して、当該電池電圧Ｖ２を第１のメモリ３または第２のメモリ４に記憶する。
【００９０】
ここで、第２の無線通信部１０２を、第１の無線通信方式とは種別の異なる、第１の無線通信方式よりも通信に要する消費電力が大きい第２の無線通信方式による通信を行うものとし、通信時間算出部１０７が第１の無線通信部１０１が通信を行っている間に、電池残量に基づいて、第２の無線通信部１０２による通信が可能な残り時間を算出する構成としてもよい。たとえば、無線ＬＡＮ方式による通信の方が、Ｗ−ＣＤＭＡ方式による通信よりも消費電力が大きい場合は、通信時間算出部１０７はＷ−ＣＤＭＡ方式による通信を行っている間に、電池残量に基づいて、無線ＬＡＮ方式による通信が可能な残り時間を算出するのである。そして、判定部１０８は、残り時間が設定時間未満となったか否かを判定し、表示部１１０が警告を出力するのである。消費電力が大きい通信方式とは、複数の通信方式のうち、累積通信時間と電池電圧とのグラフの傾きが大きい方としてもよい。
【００９１】
また、第２の無線通信部１０２を、第１の無線通信方式とは種別の異なる、第１の無線通信方式よりも通信が可能な電圧（終止電圧）が高い第２の無線通信方式による通信を行うものとし、通信時間算出部１０７が第１の無線通信部１０１が通信を行っている間に、電池残量に基づいて、第２の無線通信部１０２による通信が可能な残り時間を算出する構成としてもよい。たとえば、無線ＬＡＮ方式による通信の方が、Ｗ−ＣＤＭＡ方式による通信よりも終止電圧が高い場合は、通信時間算出部１０７はＷ−ＣＤＭＡ方式による通信を行っている間に、電池残量に基づいて、無線ＬＡＮ方式による通信が可能な残り時間を算出するのである。そして、判定部１０８は、残り時間が設定時間未満となったか否かを判定し、表示部１１０が警告を出力するのである。終止電圧が高い無線通信方式とは、他方の無線通信方式よりも先に通信不能になる無線通信方式としてもよい。
【００９２】
また、第２の無線通信部１０２を、第１の無線通信方式とは種別の異なる、第１の無線通信方式よりも無線通信可能半径が大きい第２の無線通信方式による通信を行うものとし、通信時間算出部１０７が第１の無線通信部１０１が通信を行っている間に、電池残量に基づいて、第２の無線通信部１０２による通信が可能な残り時間を算出する構成としてもよい。たとえば、Ｗ−ＣＤＭＡ方式による通信の方が、無線ＬＡＮ方式による通信よりも通信可能範囲が広い場合は、通信時間算出部１０７は無線ＬＡＮ方式による通信を行っている間に、電池残量に基づいて、Ｗ−ＣＤＭＡ方式による通信が可能な残り時間を算出するのである。そして、判定部１０８は、残り時間が設定時間未満となったか否かを判定し、表示部１１０が警告を出力するのである。
【００９３】
そして、無線通信可能範囲が大きい第２の無線通信方式とは、当該無線通信方式による通信半径が他方の無線通信方式による通信半径よりも大きいものをいう。
【００９４】
また、第２の無線通信部１０２を、第１の無線通信方式とは種別の異なる、第１の無線通信方式よりもデータ伝送速度（データ通信速度）が大きい第２の無線通信方式による通信を行うものとし、通信時間算出部１０７が第１の無線通信部１０１が通信を行っている間に、電池残量に基づいて、第２の無線通信部１０２による通信が可能な残り時間を算出する構成としてもよい。たとえば、無線ＬＡＮ方式による通信の方が、Ｗ−ＣＤＭＡ方式による通信よりもデータ伝送速度が大きい場合は、通信時間算出部１０７はＷ−ＣＤＭＡ方式による通信を行っている間に、電池残量に基づいて、無線ＬＡＮ方式による通信が可能な残り時間を算出するのである。そして、判定部１０８は、残り時間が設定時間未満となったか否かを判定し、表示部１１０が警告を出力するのである。
【００９５】
データ伝送速度が大きい第２の無線通信方式とは、当該無線通信方式による単位時間当たりの伝送データ量が他方の無線通信方式による単位時間当たりの伝送データ量よりも大きいものをいう。
【００９６】
＜無線通信警告処理＞
次に、本実施の形態に係る無線通信警告処理について説明する。図１４は、実施の形態２に係る通信装置における無線通信警告処理の流れを示すフローチャートである。
【００９７】
図１４に示すように、ユーザが携帯電話１００の電源をＯＮすることにより（Ｓ２０１）、制御装置１０５によって実現される測定部１０４−１が電池残量（電池電圧）の測定を開始する（Ｓ２０２）。制御装置１０５によって実現される通信時間算出部１０７が、測定部１０４−１により検出された電池残量に基づいて、無線ＬＡＮ（第１の無線通信方式）およびＷ−ＣＤＭＡ（第２の無線通信方式）による通信が可能な残り時間の算出する（Ｓ２０３）。表示部１１０が、無線ＬＡＮ（第１の無線通信方式）による通信が可能な残り時間と、Ｗ−ＣＤＭＡ（第２の無線通信方式）による通信が可能な残り時間とを表示する（Ｓ２０４）。
【００９８】
次に、携帯電話１００のユーザによって、ホットスポットなどの公衆無線ＬＡＮサービス、または自宅での無線ＬＡＮによる通信が開始され、すなわち第１の無線通信部１０２を使用したデータの送受信が開始されると（Ｓ２０５においてＹＥＳの場合）、制御装置１０５によって実現される判定部１０８が、不揮発性の第１のメモリ３または第２のメモリ４から予め設定された設定時間（図４におけるＴａ）を読み出して、設定時間と通信時間算出部１０７が算出した残り時間（図４におけるＴｂ）とを比較する（Ｓ２０６）。通信可能な残り時間Ｔｂが設定時間Ｔａよりも短い場合（Ｓ２０６においてＹＥＳの場合）、表示制御部１１１が、モニタ１５０を介してユーザに対し、これ以上無線ＬＡＮによる通信を継続すると、Ｗ−ＣＤＭＡによる通信ができなくなる旨の警告メッセージを表示する（Ｓ２０７）。
【００９９】
ここで、携帯電話１００の第１のメモリ３または第２のメモリ４に設定時間に対応する設定電圧が予め記憶されており、判定部１０８が測定部１０４−１によって測定された現在の電池電圧Ｖ３と設定電圧Ｖ２とを比較して、現在の電池電圧Ｖ３が設定電圧Ｖ２未満であるか否かの判定を行う構成であってもよい。
【０１００】
ユーザへの警告通知は、上記のような警告メッセージ以外に、表示制御部１１１がモニタ１５０を介して表示している電池残量表示の色を変更してもよいし、またはモニタ１５０の画面全体、モニタ１５０の電池残量表示、モニタ１５０の画面の一部を点滅させるものであってもよい。また、携帯電話１００自体にバイブレーション機能を備え、当該バイブレーション機能を動作させるものであってもよい。
【０１０１】
当該警告通知（Ｓ２０７）の後、ユーザが無線ＬＡＮ方式による通信を終了すると（Ｓ２０８においてＹＥＳの場合）、第１の無線通信部１０１によるデータの送受信動作を終了し、すなわち無線ＬＡＮによる通信を切断する（Ｓ２０９）。一方、当該警告通知（Ｓ２０７）の後、無線ＬＡＮによる通信が継続されている場合は（Ｓ２０８においてＮＯの場合）、電池残量が無線ＬＡＮによる通信が不可能な値に達したときに（Ｓ２１１においてＹＥＳの場合）、表示制御部１１１が電池残量が少なくなった旨および無線ＬＡＮによる通信を切断する旨の警告メッセージをモニタ１５０に表示した後に（Ｓ２１２）、第１の無線通信部１０１によるデータの送受信動作を終了し、すなわち無線ＬＡＮによる通信を切断する（Ｓ２０９）。
【０１０２】
一方、無線ＬＡＮ方式による通信を行っている間に、Ｗ−ＣＤＭＡ方式による通信が可能な残り時間Ｔｂが設定時間Ｔａを下回らなかった場合（Ｓ２０６においてＮＯの場合）は、警告通知を行う必要がない為、ユーザが無線ＬＡＮ方式による通信を終了すると（Ｓ２１０においてＹＥＳの場合）、第１の無線通信部１０１によるデータの送受信動作を終了し、すなわち無線ＬＡＮによる通信を切断する（Ｓ２０９）。
【０１０３】
［実施の形態３］
次に、通信装置の実施の形態３としての携帯電話１００について説明する。全体構成およびハードウェア構成については、図１および図２に示した実施の形態１に係る携帯電話１００と同様であるので、ここでは説明を繰り返さない。以下では、本実施の形態に係る携帯電話１００の機能構成について説明する。尚、本実施の形態に係る携帯電話１００においても、第１の無線通信方式を無線ＬＡＮ方式とし、第２の無線通信方式をＷ−ＣＤＭＡ方式とする。
【０１０４】
本実施の形態に係る携帯電話１００は、通信を行っている一方の無線通信部による通信が可能な残り時間と他方の無線通信部による通信が可能な残り時間とをモニタ１５０を介して表示するとともに、他方の無線通信部による通信が可能な残り時間が所定時間以下になった場合に警告音声を出力する。
【０１０５】
＜機能構成＞
図１５は、実施の形態３に係る通信装置の機能構成を示すブロック図である。図１５に示すように、本実施の形態に係る携帯電話１００は、第１の無線通信方式（たとえば、無線ＬＡＮ方式など）による通信を行う第１の無線通信部１０１と、第１の無線通信方式とは種別の異なる第２の無線通信方式（たとえば、Ｗ−ＣＤＭＡ方式）による通信を行う第２の無線通信部１０２と、携帯電話１００の各部に電力を供給する電池部１０３と、電池残量を測定する測定部１０４−１と、制御装置１０５と、情報を表示するモニタ１５０と、情報を音声にて発するスピーカ１７３（１７４）とを有する通信装置である。制御装置１０５は、測定部１０４−１にて検出した電池残量に基づいて無線通信部１０１，１０２による通信が可能な残り時間を算出する通信時間算出部１０７と、無線制御部１０６と、判定部１０８と、第２の設定部１１７と、音声制御部１１２とを含む。
【０１０６】
以下では、携帯電話１００が有する各種機能について説明するが、前述したように以下の各ブロックの機能や各ステップの処理は、ＣＰＵ等によって実現される制御装置１０５上で実行されるソフトウェアによって実現される構成としてもよいし、ソフトウェアによって実現する代わりに各々を専用のハードウェア回路等によって実現してもよい。
【０１０７】
電池部１０３と、測定部１０４−１と、無線制御部１０６と、通信時間算出部１０７と、表示制御部１１１とは、図３に示した実施の形態１に係る携帯電話１００のそれらと同様であるので、ここでは説明を繰り返さない。また、判定部１０８と第２の設定部１１７とは、図１２に示した実施の形態２に係る携帯電話１００のそれらと同様であるので、ここでは説明を繰り返さない。
【０１０８】
音声制御部１１２は、第１のスピーカ１７３もしくは第２のスピーカ１７４の少なくとも一方を介すことにより、制御装置１０５による演算結果を音声によって出力するものである。
【０１０９】
音声制御部１１２および第１のスピーカ１７３（第２のスピーカ１７４）によって実現される音声出力部１１３は、通信を行っていない無線通信方式による通信が可能な残り時間が短くなった旨の警告を、音声によって携帯電話１００の外部（ユーザ）へと出力する。
【０１１０】
当該警告は、たとえば筐体１１４，１１６の側面に備えられた第１のスピーカ１７３から出力されるものであってもよいし、通話音声が出力される第２のスピーカ１７４から通話音声とともに出力される構成であってもよい。また、当該警告は、第２のスピーカ１７４から発せられる単なるビープ音であってよいし、第１のスピーカ１７３から発せられる音声案内であってもよい。たとえば、判定部１０８によって、残り時間が設定時間未満であると判定された場合に、第２のスピーカ１７４が「Ｗ−ＣＤＭＡによる通信可能時間が残り５分になりました。」という音声案内を発する構成であっても良い。
【０１１１】
また、他の無線通信方式による通信が可能な残り時間が予めユーザによって設定された複数の設定時間のいずれかよりも短くなった場合に、音声制御部１１２がスピーカ１７３，１７４を介して一方の無線通信方式による通信が可能な残り時間と共に当該警告を出力する構成にすると好ましい。たとえば、図４に示したように、ユーザが無線ＬＡＮ方式による通話を行っている間に、第１のスピーカ１７３によって「Ｗ−ＣＤＭＡによる通信可能時間が残り１０分になりました。無線ＬＡＮ方式による通信可能時間は１５分です。」という音声案内を行い、その後、「Ｗ−ＣＤＭＡによる通信可能時間が残り５分になりました。無線ＬＡＮによる通信可能時間は７分です。」という音声案内を行うのである。
【０１１２】
これによって、通信装置の有する１の無線通信方式による通信中において、ユーザが通信していない他の無線通信方式による通信が不可能になってしまうことを防止することができる。特に、音声制御部１１２によって、ビープ音を発する形態や、スピーカによる「無線ＬＡＮによる通信可能時間が残り５分になりました。」という音声案内を発する形態や、端末装置に備えられたバイブレータを作動させる形態においては、通話中などのようにユーザが携帯電話１００の画面を見ずに通信を行っている場合に便利である。
【０１１３】
＜無線通信警告処理＞
次に、本実施の形態に係る無線通信警告処理について説明する。本実施の形態に係る携帯電話１００における無線通信警告処理の流れを示すフローチャートは、図１４と同様に示される。本実施の形態に係る無線通信警告処理は、Ｓ２０７に関する処理や機能が異なる以外は、実施の形態２に係る携帯電話１００の処理や機能と同様である。以下では、実施の形態２に係る携帯電話１００の処理と同様のステップについては説明を繰り返さない。
【０１１４】
図１４を参照して、通信可能な残り時間Ｔｂが設定時間Ｔａよりも短くなった場合（Ｓ２０６においてＹＥＳの場合）について説明する。この場合は、音声制御部１１２がスピーカ１７３，１７４を介して、これ以上無線ＬＡＮによる通信を継続するとＷ−ＣＤＭＡによる通信ができなくなる旨の警告メッセージをユーザに対して発する（Ｓ２０７）。
【０１１５】
次に、電池残量が無線ＬＡＮによる通信が不可能な値に達した場合（Ｓ２１１においてＹＥＳの場合）について説明する。この場合は、携帯電話１００の音声制御部１１２は、スピーカ１７３，１７４を介して、電池残量が少なくなった旨および無線ＬＡＮによる通信を切断する旨の警告メッセージをユーザに対して発する（Ｓ２１２）。そして、無線ＬＡＮによる通信を切断する（Ｓ２０９）。
【０１１６】
［実施の形態４］
次に、通信装置の実施の形態４としての携帯電話１００について説明する。全体構成およびハードウェア構成については、図１および図２に示した実施の形態１に係る携帯電話１００と同様であるので、ここでは説明を繰り返さない。以下では、本実施の形態に係る携帯電話１００の機能構成について説明する。尚、本実施の形態に係る携帯電話１００においても、第１の無線通信方式を無線ＬＡＮ方式とし、第２の無線通信方式をＷ−ＣＤＭＡ方式とする。
【０１１７】
本実施の形態に係る携帯電話１００は、通信を行っている一方の無線通信部による通信が可能な残り時間と他方の無線通信部による通信が可能な残り時間とをモニタ１５０を介して表示するとともに、他方の無線通信部による通信が可能な残り時間が所定時間以下になった場合に、他方の無線通信部による通信を切断する。
【０１１８】
＜機能構成＞
図１６は、実施の形態４に係る通信装置の機能構成を示すブロック図である。図１６に示すように、本実施の形態に係る携帯電話１００は、第１の無線通信方式（たとえば、無線ＬＡＮ方式など）による通信を行う第１の無線通信部１０１と、第１の無線通信方式とは種別の異なる第２の無線通信方式（たとえば、Ｗ−ＣＤＭＡ方式）による通信を行う第２の無線通信部１０２と、携帯電話１００の各部に電力を供給する電池部１０３と、電池残量を測定する測定部１０４−１と、制御装置１０５と、情報を表示するモニタ１５０とを有する通信装置である。制御装置１０５は、測定部１０４−１にて検出した電池残量に基づいて第１の無線通信部１０１と第２の無線通信部１０２による通信が可能な残り時間を算出する通信時間算出部１０７と、無線制御部１０６と、判定部１０８と、第２の設定部１１７と、第１の設定部１１８と、モニタ１５０を制御する表示制御部１１１とを含む。無線制御部１０６は、切断部１２６を含む。
【０１１９】
本実施の形態に係る携帯電話１００においては、予め少なくとも１種類の無線通信方式の優先度が、それ以外の無線通信方式の優先度よりも高く設定されている。
【０１２０】
以下では、携帯電話１００が有する各種機能について説明するが、前述したように以下の各ブロックの機能や各ステップの処理は、ＣＰＵ等によって実現される制御装置１０５上で実行されるソフトウェアによって実現される構成としてもよいし、ソフトウェアによって実現する代わりに各々を専用のハードウェア回路等によって実現してもよい。
【０１２１】
電池部１０３と、測定部１０４−１と、通信時間算出部１０７とは、図３に示した実施の形態１に係る携帯電話１００のそれらと同様であるので、ここでは説明を繰り返さない。
【０１２２】
判定部１０８は、非優先回線に設定された第１の無線通信方式による通信が行われている間に、優先回線に設定された第１の無線通信方式による通信が可能な残り時間Ｔｂが予め設定された設定時間Ｔａ未満であるか否かの判定を行う。より詳細には、予め携帯電話１００の第１のメモリ３または第２のメモリ４には設定時間が記憶されており、判定部１０８は、第１のメモリ３または第２のメモリ４から設定時間を読み出して、通信時間算出部１０７によって算出された残り時間Ｔｂと設定時間Ｔａの大小関係を判断するのである。
【０１２３】
第２の設定部１１７は、操作部１２０を介して外部からの第２の設定命令を受け付けて、予め設定された設定時間Ｔａを変更（更新）する。当該設定時間Ｔａは、第１のメモリ３または第２のメモリ４に記憶される。
【０１２４】
第１の設定部１１８は、いずれか一方の無線通信方式を優先回線に、他方の無線通信方式を非優先回線に設定するものであって、当該設定情報は第１のメモリ３または第２のメモリ４に記憶される。
【０１２５】
図１７は、表示部１１０における優先回線の選択画面を示すイメージ図である。図１７に示すように、表示部１１０と操作部１２０とを介して、第１の設定部１１８は、携帯電話１００が有する無線通信部１０１，１０２のうち、いずれの無線通信方式を優先回線とするかについてのユーザからの選択命令を受け付ける。そして、第１の設定部１１８は、当該選択命令を受け付けて、いずれの無線通信方式が優先回線に設定されかについての情報を第１のメモリ３または第２のメモリ４に記憶する。
【０１２６】
つまり、予め無線通信方式をＷ−ＣＤＭＡと無線ＬＡＮとし、Ｗ−ＣＤＭＡが優先回線に、無線ＬＡＮが非優先回線に設定されていても、ユーザの選択によって無線ＬＡＮを優先回線とし、Ｗ−ＣＤＭＡを非優先回線とすることができるのである。本実施の形態に係る携帯電話１００においては、携帯電話１００が有する無線通信方式を２回線としているが、携帯電話１００が有する無線通信方式が３回線以上であっても上記構成は同様であって、その場合にはユーザが設定する優先回線や非優先回線に複数の回線を設定することができる。
【０１２７】
図１３に示すように、表示部１１０と操作部１２０とを介して、第２の設定部１１７は、優先回線に設定された無線通信方式による通信が可能な残り時間の設定命令（変更命令）を受け付ける。そして、設定命令（変更命令）を受け付けて、設定された残り時間についての情報を第１のメモリ３または第２のメモリ４に記憶する。より詳細には、ユーザが電池電圧を入力することは困難であるため、ユーザが確保したい優先回線での通信ができなくなるまでの残り時間（設定時間）をユーザに入力させる。そして、ユーザが入力した数値を図４における設定時間Ｔａとして、制御装置１０５が警告通知または非優先回線の通信の切断を行うべきＷ−ＣＤＭＡの電池電圧Ｖ２を算出して、当該電池電圧を第１のメモリ３または第２のメモリ４に記憶する。
【０１２８】
切断部１２６は、判定部１０８によって、残り時間が予め設定された設定時間Ｔａ未満であると判定された場合に非優先回線による通信を切断する。
【０１２９】
＜無線通信切断処理＞
次に、本実施の形態に係る無線通信切断処理について説明する。図１８は、実施の形態４に係る通信装置における無線通信切断処理の流れを示すフローチャートである。本実施の形態においては、操作部１２０および第１の設定部１１８を介して、予め優先回線（高い優先度が設定された回線）にＷ−ＣＤＭＡ方式による通信を行う第１の無線通信部が設定され、非優先回線（低い優先度が設定された回線）に無線ＬＡＮ方式による通信を行う第２の無線通信部が設定されているものとする。
【０１３０】
図１８に示すように、ユーザが携帯電話１００の電源をＯＮすることにより（Ｓ３０１）、制御装置１０５によって実現される測定部１０４−１が電池残量（電池電圧）の測定を開始する（Ｓ３０２）。制御装置１０５によって実現される通信時間算出部１０７が、測定部１０４−１により検出された電池残量に基づいて、無線ＬＡＮ（第１の無線通信方式）およびＷ−ＣＤＭＡ（第２の無線通信方式）による通信が可能な残り時間の算出する（Ｓ３０３）。表示部１１０が、無線ＬＡＮ（第１の無線通信方式）による通信が可能な残り時間と、Ｗ−ＣＤＭＡ（第２の無線通信方式）による通信が可能な残り時間とを表示する（Ｓ３０４）。
【０１３１】
次に、携帯電話１００のユーザによって、ホットスポットなどの公衆無線ＬＡＮサービス、または自宅での無線ＬＡＮによる通信が開始され、すなわち第１の無線通信部１０１を使用したデータの送受信が開始されると（Ｓ３０５においてＹＥＳの場合）、制御装置１０５によって実現される判定部１０８が、不揮発性の第１のメモリ３または第２のメモリ４から予め設定された設定時間（図４におけるＴａ）を読み出して、設定時間Ｔａと通信時間算出部１０７が算出した残り時間（図４におけるＴｂ）とを比較する（Ｓ３０６）。通信可能な残り時間Ｔｂが設定時間Ｔａよりも短い場合（Ｓ３０６においてＹＥＳの場合）、切断部１２６が非優先回線である無線ＬＡＮによる通信を切断する（Ｓ３０７）。ただし、携帯電話１００が予め設定時間Ｔａに対応する設定電圧Ｖ２を記憶しておき、判定部１０８は測定部１０４−１によって測定された現在の電圧Ｖ３と設定電圧Ｖ２を比較して、現在の電圧Ｖ３が設定電圧Ｖ２未満であるか否かの判定を行う構成であってもよい。
【０１３２】
一方、非優先回線である無線ＬＡＮ方式による通信を行っている間に、優先回線であるＷ−ＣＤＭＡ方式による通信が可能な残り時間Ｔｂが設定時間Ｔａを下回らなかった場合（Ｓ３０６においてＮＯの場合）は、非優先回線の切断処理を行う必要がない為、無線ＬＡＮによる通信が切断されまで（Ｓ３０８においてＹＥＳとなるまで）、Ｓ３０６の判断が繰り返される。
【０１３３】
実施の形態１〜４の説明では、第１および第２の無線通信方式をそれぞれＷ−ＣＤＭＡおよび無線ＬＡＮとしたが、無線通信方式はＷ−ＣＤＭＡや無線ＬＡＮに限定されるものではない。たとえば、ＰＤＣ(Personal Digital Cellular)、ＰＨＳ(Personal Handy-phone System)、ＧＳＭ(Global System for Mobile Communications)、ＣＤＭＡ２０００(Code Division Multiple Access 2000)、ＬＴＥ(Long Term Evolution)、ＷｉＭＡＸ(Worldwide Interoperability for Microwave Access)、ＨＳＰＡ(High Speed Packet Access)、Ｂｌｕｅｔｏｏｔｈ（登録商標）、ＵＷＢ(Ultra Wide Band)であってもよい。
【０１３４】
そして、第１の無線通信方式と第２の無線通信方式との組み合わせとしては、たとえば、Ｗ−ＣＤＭＡ／ＨＳＰＡと無線ＬＡＮ、Ｗ−ＣＤＭＡ／ＨＳＰＡとＷｉＭＡＸ、ＰＨＳと無線ＬＡＮなどがあげられる。これらの組み合わせは、消費電力が大きく無線通信可能範囲が大きい無線通信方式と消費電力が小さく無線通信可能範囲が小さい無線通信方式との組み合わせや、消費電力が大きく伝送速度が大きい無線通信方式と消費電力が小さく伝送速度が小さい無線通信方式との組み合わせ等が挙げられる。そして、特定の場所では無線ＬＡＮを使用し、それ以外の場所ではＷ−ＣＤＭＡやＨＳＰＡといった広いエリアをカバーする無線通信方式を使用する、といった無線通信方式の使い分けを行うことが好ましい。
【０１３５】
本実施の形態１〜４に係る携帯電話１００は、このような使い分けを行う場合において、たとえば、無線ＬＡＮによる通信中に、ユーザが知らないうちにＷ−ＣＤＭＡ(ＨＳＰＡ)が使用できなくなっていた、ということを避けることができる。逆に、本実施の形態１〜４に係る携帯電話１００は、上記のような使い分けを行う場合において、たとえば、Ｗ−ＣＤＭＡによる通信中に、ユーザが知らないうちに無線ＬＡＮが使用できなくなっていた、ということも避けることができる。
【０１３６】
［その他の実施の形態］
上記に示す実施の形態１〜４の各構成要素（機能ブロック）は、その本質を変容させることなく、互いに組み合わせ可能であり、他の実施の形態に適用することができる。たとえば、実施の形態２に係る携帯電話１００に実施の形態３に係る音声出力部１１３を備えることも可能である。また、実施の形態２に係る携帯電話１００に実施の形態４に係る切断部１２６を備えることも可能である。また、実施の形態３に係る携帯電話１００に実施の形態４に係る切断部１２６を備えることも可能である。
【０１３７】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【０１３８】
【図１】本実施の形態に係る通信装置の一例としての携帯電話を示す外観斜視図である。
【図２】本実施の形態に係る通信装置の一例として代表的な携帯電話のハードウェア構成を示すブロック図である。
【図３】実施の形態１に係る通信装置の機能構成を示すブロック図である。
【図４】Ｗ−ＣＤＭＡおよび無線ＬＡＮによる累積通信時間と電池電圧との相関を示すイメージ図である。
【図５】Ｗ−ＣＤＭＡおよび無線ＬＡＮによる累積通信時間と電池電圧との相関を示す表である。
【図６】異なる複数のインジケータが表示されたモニタを示す第１のイメージ図である。
【図７】異なる複数のインジケータが表示されたモニタを示す第２のイメージ図である。
【図８】１つのインジケータが表示されたモニタを示す第１のイメージ図である。
【図９】１つのインジケータが表示されたモニタを示す第２のイメージ図である。
【図１０】１つのインジケータが表示されたモニタを示す第３のイメージ図である。
【図１１】実施の形態１に係る通信装置における電池残量表示処理の流れを示すフローチャートである。
【図１２】実施の形態２に係る通信装置の機能構成を示すブロック図である。
【図１３】表示部における設定時間入力画面を示すイメージ図である。
【図１４】実施の形態２に係る通信装置における無線通信警告処理の流れを示すフローチャートである。
【図１５】実施の形態３に係る通信装置の機能構成を示すブロック図である。
【図１６】実施の形態４に係る通信装置の機能構成を示すブロック図である。
【図１７】表示部における優先回線の選択画面を示すイメージ図である。
【図１８】実施の形態４に係る通信装置における無線通信切断処理の流れを示すフローチャートである。
【符号の説明】
【０１３９】
１，２  アンテナ、３  第１のメモリ、４  第２のメモリ、１００  携帯電話、１０１  第１の無線通信部、１０２  第２の無線通信部、１０３  電池部、１０４  測定部、１０５  制御装置、１０６  無線制御部、１０７  通信時間算出部、１０８  判定部、１１０  表示部、１１１  表示制御部、１１２  音声制御部、１１３  音声出力部、１１５  接続部、１１７  第２の設定部、１１８  第１の設定部、１２０  操作部、１２６  切断部、１５０  モニタ、１７２  マイク、１７３，１７４  スピーカ、Ｔａ  設定時間、Ｔｂ，Ｔｃ  残り時間、Ｖ１ａ，Ｖ２ａ，Ｖ３ａ，Ｖ１ｂ  電池電圧。
【図１】
2009206952.tif 000003
【図２】
2009206952.tif 000004
【図３】
2009206952.tif 000005
【図４】
2009206952.tif 000006
【図５】
2009206952.tif 000007
【図６】
2009206952.tif 000008
【図７】
2009206952.tif 000009
【図８】
2009206952.tif 000010
【図９】
2009206952.tif 000011
【図１０】
2009206952.tif 000012
【図１１】
2009206952.tif 000013
【図１２】
2009206952.tif 000014
【図１３】
2009206952.tif 000015
【図１４】
2009206952.tif 000016
【図１５】
2009206952.tif 000017
【図１６】
2009206952.tif 000018
【図１７】
2009206952.tif 000019
【図１８】
2009206952.tif 000020